(57)【要約】【課題】フレーム間で変化の認められなかった画素の書き換えを停止している間、リーク電流の影響により発光輝度が低下する。【解決手段】画素回路内に記憶素子を有するアクティブマトリクス型表示デバイスの表示動作を制御する表示動作制御装置に、（ａ）現フレームの映像信号と前フレームの映像信号を水平ライン単位で比較し、当該水平ラインが静止画領域か否かを判定する静止画判定部と、（ｂ）画素回路に対する書き込みパルスの供給と停止を制御する書き込みパルス制御部であって、静止画領域と判定された水平ラインに対する書き込みパルスの供給を停止する書き込みパルス制御部と、（ｃ）静止画領域と判定された状態が複数フレームに亘って継続する場合、当該水平ラインのピーク輝度レベルを継続時間長に応じて徐々に大きく又は小さく制御するピーク輝度制御部とを搭載する。【選択図】図５
2008033066.tif 000002
【特許請求の範囲】
【請求項１】
画素回路内に記憶素子を有するアクティブマトリクス型表示デバイスの表示動作を制御する表示動作制御装置において、
現フレームの映像信号と前フレームの映像信号を水平ライン単位で比較し、当該水平ラインが静止画領域か否かを判定する静止画判定部と、
前記画素回路に対する書き込みパルスの供給と停止を制御する書き込みパルス制御部であって、静止画領域と判定された水平ラインに対する書き込みパルスの供給を停止する書き込みパルス制御部と、
静止画領域と判定された状態が複数フレームに亘って継続する場合、当該水平ラインのピーク輝度レベルを継続時間長に応じて徐々に大きく又は小さく制御するピーク輝度制御部と
を有することを特徴とする表示動作制御装置。
【請求項２】
請求項１に記載の表示動作制御装置において、
前記ピーク輝度制御部は、１フレーム内の点灯時間長を規定するデューティパルス長を継続時間長に応じて徐々に長く又は短く制御する
ことを特徴とする表示動作制御装置。
【請求項３】
請求項１に記載の表示動作制御装置において、
前記ピーク輝度制御部は、アクティブマトリクス型表示デバイスに供給する陽極電圧値を継続時間長に応じて徐々に大きく又は小さく制御する
ことを特徴とする表示動作制御装置。
【請求項４】
請求項１に記載の表示動作制御装置は、
静止画領域と判定された水平ラインに対応する映像信号のアクティブマトリクス型表示デバイスに対する供給を停止する映像信号供給制御部
を有することを特徴とする表示動作制御装置。
【請求項５】
画素回路内に記憶素子を有するアクティブマトリクス型表示デバイスの表示動作を制御する表示動作制御装置において、
現フレームの映像信号と前フレームの映像信号を比較し、現フレームが静止画領域か否かを判定する静止画判定部と、
前記画素回路に対する書き込みパルスの供給と停止を制御する書き込みパルス制御部であって、静止画領域と判定されたフレームについて全水平ラインに対する書き込みパルスの供給を停止する書き込みパルス制御部と
を有することを特徴とする表示動作制御装置。
【請求項６】
請求項５に記載の表示動作制御装置は、
静止画領域と判定された状態が複数フレームに亘って継続する場合、全水平ラインに共通するピーク輝度レベルを継続時間長に応じて徐々に大きく又は小さく制御するピーク輝度制御部
を有することを特徴とする表示動作制御装置。
【請求項７】
請求項６に記載の表示動作制御装置において、
前記ピーク輝度制御部は、１フレーム内の点灯時間長を規定するデューティパルス長を継続時間長に応じて徐々に長く又は短く制御する
ことを特徴とする表示動作制御装置。
【請求項８】
請求項６に記載の表示動作制御装置において、
前記ピーク輝度制御部は、アクティブマトリクス型表示デバイスに供給する陽極電圧値を継続時間長に応じて徐々に大きく又は小さく制御する
ことを特徴とする表示動作制御装置。
【請求項９】
請求項５に記載の表示動作制御装置は、
静止画領域と判定されたフレームに対応する映像信号のアクティブマトリクス型表示デバイスへの供給を停止する映像信号供給制御部
を有することを特徴とする表示動作制御装置。
【請求項１０】
請求項５に記載の表示動作制御装置において、
前記静止画判定部は、静止画領域と判定される水平ラインがフレーム内に規定数以上連続して出現する場合に当該フレームが静止画領域であると判定する
ことを特徴とする表示動作制御装置。
【請求項１１】
請求項５に記載の表示動作制御装置において、
前記静止画判定部は、静止画領域と判定される水平ラインが現フレーム内に規定割合以上出現する場合に当該フレームが静止画領域であると判定する
ことを特徴とする表示動作制御装置。
【請求項１２】
画素回路内に記憶素子を有するアクティブマトリクス型表示デバイスと、
現フレームの映像信号と前フレームの映像信号を水平ライン単位で比較し、当該水平ラインが静止画領域か否かを判定する静止画判定部と、
前記画素回路に対する書き込みパルスの供給と停止を制御する書き込みパルス制御部であって、静止画領域と判定された水平ラインに対する書き込みパルスの供給を停止する書き込みパルス制御部と、
静止画領域と判定された状態が複数フレームに亘って継続する場合、当該水平ラインのピーク輝度レベルを継続時間長に応じて徐々に大きく又は小さく制御するピーク輝度制御部と
を有することを特徴とする表示装置。
【請求項１３】
画素回路内に記憶素子を有するアクティブマトリクス型表示デバイスと、
現フレームの映像信号と前フレームの映像信号を比較し、現フレームが静止画領域か否かを判定する静止画判定部と、
前記画素回路に対する書き込みパルスの供給と停止を制御する書き込みパルス制御部であって、静止画領域と判定されたフレームについて全水平ラインに対する書き込みパルスの供給を停止する書き込みパルス制御部と
を有することを特徴とする表示装置。
【請求項１４】
画素回路内に記憶素子を有するアクティブマトリクス型表示デバイスと、
現フレームの映像信号と前フレームの映像信号を水平ライン単位で比較し、当該水平ラインが静止画領域か否かを判定する静止画判定部と、
前記画素回路に対する書き込みパルスの供給と停止を制御する書き込みパルス制御部であって、静止画領域と判定された水平ラインに対する書き込みパルスの供給を停止する書き込みパルス制御部と、
静止画領域と判定された状態が複数フレームに亘って継続する場合、当該水平ラインのピーク輝度レベルを継続時間長に応じて徐々に大きく又は小さく制御するピーク輝度制御部と
を有することを特徴とする電子機器。
【請求項１５】
画素回路内に記憶素子を有するアクティブマトリクス型表示デバイスと、
現フレームの映像信号と前フレームの映像信号を比較し、現フレームが静止画領域か否かを判定する静止画判定部と、
前記画素回路に対する書き込みパルスの供給と停止を制御する書き込みパルス制御部であって、静止画領域と判定されたフレームについて全水平ラインに対する書き込みパルスの供給を停止する書き込みパルス制御部と
を有することを特徴とする電子機器。
【請求項１６】
画素回路内に記憶素子を有するアクティブマトリクス型表示デバイスの表示動作を制御する表示動作制御方法において、
現フレームの映像信号と前フレームの映像信号を水平ライン単位で比較し、当該水平ラインが静止画領域か否かを判定する処理と、
前記画素回路に対する書き込みパルスの供給と停止を制御する処理であって、静止画領域と判定された水平ラインに対する書き込みパルスの供給を停止する処理と、
静止画領域と判定された状態が複数フレームに亘って継続する場合、当該水平ラインのピーク輝度レベルを継続時間長に応じて徐々に大きく又は小さく制御する処理と
を有することを特徴とする表示動作制御方法。
【請求項１７】
画素回路内に記憶素子を有するアクティブマトリクス型表示デバイスの表示動作を制御する表示動作制御方法において、
現フレームの映像信号と前フレームの映像信号を比較し、現フレームが静止画領域か否かを判定する処理と、
前記画素回路に対する書き込みパルスの供給と停止を制御する処理であって、静止画領域と判定されたフレームについて全水平ラインに対する書き込みパルスの供給を停止する処理と
を有することを特徴とする表示動作制御方法。
【請求項１８】
画素回路内に記憶素子を有するアクティブマトリクス型表示デバイスの表示動作を制御するコンピュータに、
現フレームの映像信号と前フレームの映像信号を水平ライン単位で比較し、当該水平ラインが静止画領域か否かを判定する処理と、
前記画素回路に対する書き込みパルスの供給と停止を制御する処理であって、静止画領域と判定された水平ラインに対する書き込みパルスの供給を停止する処理と、
静止画領域と判定された状態が複数フレームに亘って継続する場合、当該水平ラインのピーク輝度レベルを継続時間長に応じて徐々に大きく又は小さく制御する処理と
を実行させることを特徴とするコンピュータプログラム。
【請求項１９】
画素回路内に記憶素子を有するアクティブマトリクス型表示デバイスの表示動作を制御するコンピュータに、
現フレームの映像信号と前フレームの映像信号を比較し、現フレームが静止画領域か否かを判定する処理と、
前記画素回路に対する書き込みパルスの供給と停止を制御する処理であって、静止画領域と判定されたフレームについて全水平ラインに対する書き込みパルスの供給を停止する処理と
を実行させることを特徴とするコンピュータプログラム。
【発明の詳細な説明】
【技術分野】
【０００１】
この明細書で説明する発明は、画素回路内に記憶素子を有するアクティブマトリクス型表示デバイスの表示動作制御技術に関する。
なお、発明者らが提案する発明は、表示動作制御装置、表示装置、電子機器、表示動作制御方法及びコンピュータプログラムとしての側面を有する。
【背景技術】
【０００２】
今日、様々な種類の表示デバイスが開発されている。例えば液晶ディスプレイ、プラズマディスプレイ、有機ＥＬディスプレイ、フィールドエミッションディスプレイその他の表示デバイスが開発されている。
【０００３】
これらの表示ディスプレイに共通する駆動方式にアクティブマトリクス方式がある。アクティブマトリクス方式は、全ての画素にスイッチ素子（アクティブ素子）を配置し、各画素の点灯と消灯を個別に制御する駆動方式である。
【０００４】
なお、画素回路内に記憶素子に配置し、水平ライン単位又は面単位で書き込まれた画素データにより各画素の発光状態を維持する仕組みも用いられている。
【０００５】
ところで、アクティブマトリクス型の表示ディスプレイでは、採用する駆動方式に応じた周期で各画素に画素データの書き込みが実行される。しかし、この画素データの書き換えは、消費電力を増加させる要因となる。
【０００６】
なお、表示内容によっては必ずしも画素データの書き換えを毎周期で実行する必要がない。そこで、画面内のフレーム間で変化のあった画素についてのみフレーム周期で画素データを更新し、フレーム間で変化の認められなかった画素についてはフレーム周期で画素データを更新しないことにより消費電力の低減化を図る仕組みが提案されている。
【特許文献１】特開平７−２３９４６３号公報
【発明の開示】
【発明が解決しようとする課題】
【０００７】
この特許文献１の場合、画素回路に保持されている画素データ（電圧値）が表示に耐え得ない程度に低下するまでの期間、フレーム間で変化の認められなかった画素の書き換えが停止される。
【０００８】
このように、特許文献１の場合、画素データの書き換え後に記憶素子の保持電圧が徐々に低下することを想定する。これは、記憶素子がコンデンサその他の容量素子を想定するためであり、リーク電流による電圧の低下を避け得ないためである。
【０００９】
ところで、リーク電流による電圧の低下は、電圧の低下が表示に耐え得ない程度に達するのを待つまでもなく常に発生する。このため、画素データが次に書き換えられるまでの間、同画素の表示輝度が徐々に低下してしまう。すなわち、表示画像の画質が徐々に低下するのを原理的に避け得ない問題がある。
【００１０】
さらに、特許文献１の場合、フレーム間で変化の認められなかった画素の書き換えを停止する間も書き換えパルスの発生と供給（書き換えを停止する画素を除く）が継続する。このため、実際には書き換えパルスの発生と供給に伴う部分での電力消費の低減効果が十分に発揮されない可能性がある。
【課題を解決するための手段】
【００１１】
そこで発明者らは、前者の課題を解決する手段の一つとして、（ａ）現フレームの映像信号と前フレームの映像信号を水平ライン単位で比較し、当該水平ラインが静止画領域か否かを判定する処理と、（ｂ）画素回路に対する書き込みパルスの供給と停止を制御する処理であって、静止画領域と判定された水平ラインに対する書き込みパルスの供給を停止する処理と、（ｃ）静止画領域と判定された状態が複数フレームに亘って継続する場合、当該水平ラインのピーク輝度レベルを継続時間長に応じて徐々に大きく又は小さく制御する処理を実行する表示動作の制御技術を提案する。
【００１２】
また、発明者らは、後者の課題を解決する手段の一つとして、（ａ）現フレームの映像信号と前フレームの映像信号を比較し、現フレームが静止画領域か否かを判定する処理と、（ｂ）画素回路に対する書き込みパルスの供給と停止を制御する処理であって、静止画領域と判定されたフレームについて全水平ラインに対する書き込みパルスの供給を停止する処理を実行する表示動作の制御技術を提案する。
【発明の効果】
【００１３】
発明者らの提案する技術の採用により、画素データの書き換え回数を最小化すると同時に、画素データの次回更新時までの表示輝度をリーク電流によらずほぼ一定に保つことができる。
また、発明者らの提案する技術の採用により、画素データの書き換え回数を低減することができる。結果的に、画素データの書き換えに伴う消費電力を最小化できる。
【発明を実施するための最良の形態】
【００１４】
以下、発明に係る表示動作の制御技術を説明する。
なお、本明細書で特に図示又は記載されない部分には、当該技術分野の周知又は公知技術を適用する。
また以下に説明する形態例は、発明の一つの形態例であって、これらに限定されるものではない。
【００１５】
（Ａ）形態例１
ここでは、有機ＥＬディスプレイを例に、表示動作の制御技術を説明する。
図１に、有機ＥＬディスプレイ装置１の機能構成例を示す。有機ＥＬディスプレイ装置１は、表示動作制御装置１１と有機ＥＬパネルモジュール３１の２つの機能ブロックで構成される。
【００１６】
（Ａ−１）表示動作制御装置の機能構成
表示動作制御装置１１は、有機ＥＬパネルモジュール３１の表示動作を水平ライン単位で制御する処理デバイスである。この形態例における表示動作制御装置１１は、水平ライン単位で静止画領域部分を検出し、検出された静止画領域部分については書き込みパルスの出力停止制御とピーク輝度制御とを実行する処理デバイスとして機能する。
【００１７】
この機能の実現のため、表示動作制御装置１１は、フレーム画像記憶部１３、静止画判定部１５、映像信号供給制御部１７、駆動タイミングパルス制御部１９及びピーク輝度制御部２１の５つの機能ブロックで構成される。
【００１８】
フレーム画像記憶部１３は、入力映像信号を保存する２つのフレームメモリで構成される記憶デバイスである。２つのフレームメモリの一方は映像信号の書き込み用であり、他方は映像信号の読み出し用である。なお、各フレームメモリに対する書き込みと読み出しは交互に実行する。
【００１９】
静止画判定部１５は、現フレームの映像信号と前フレームの映像信号を水平ライン単位で比較し、当該水平ラインが静止画領域か否かを判定する処理デバイスである。なお、前フレームの映像信号はフレーム画像記憶部１３から読み出される。
【００２０】
図２に、静止画判定部１５の処理動作を示す。静止画判定部１５は、現フレームの映像信号（図２（Ａ））と前フレームの映像信号（図２（Ｂ））を１画素づつ比較する。静止画判定部１５は、同位置の２つの画素が同じとき判定結果「１」を出力し、異なるとき「０」を出力する。
【００２１】
なお、判定結果（図２（Ｃ））は、１ラインに亘って保存される。静止画判定部１５は、１水平ライン全ての判定結果が「１」の場合、当該水平ラインを静止画領域と判定する。判定結果は、映像信号供給制御部１７、駆動タイミングパルス制御部１９及びピーク輝度制御部２１に出力される。
【００２２】
映像信号供給制御部１７は、有機ＥＬパネルモジュール３１に対する映像信号の供給と停止を水平ライン単位で制御する処理デバイスである。この形態例の場合、映像信号供給制御部１７は、静止画領域と判定された水平ラインについて映像信号の有機ＥＬパネルモジュール３１に対する供給を停止する。この制御により、書き換えの不要な水平ラインについては映像信号を供給せずに済む。この供給停止によりデータ線ドライバ３５の動作を水平ラインの間停止することが可能になる。結果的に、消費電力の低減効果が発揮される。
【００２３】
駆動タイミングパルス制御部１９は、有機ＥＬパネルモジュール３１に駆動タイミングパルス及び書き込み制御信号を供給する処理デバイスである。駆動タイミングパルスは、有機ＥＬパネルモジュール３１で採用する走査方式に応じた書き込みパルスの生成用である。この駆動タイミングパルスの生成には、入力映像信号の水平同期パルス及び垂直同期パルスが用いられる。
【００２４】
書き込み制御信号は、有機ＥＬパネルモジュール３１を構成する画素回路に対する書き込みパルスの供給と停止を制御する信号である。この形態例の場合、静止画領域と判定された水平ラインについての書き込みパルスの供給停止に用いられる。
【００２５】
すなわち、書き込み制御信号は、水平ライン単位で出力される。
この書き込み制御信号の供給に関連する機能が、特許請求の範囲における「書き込みパルス制御部」に対応する。
【００２６】
ピーク輝度制御部２１は、有機ＥＬパネルモジュール３１のピーク輝度を制御する処理デバイスである。この形態例の場合、ピーク輝度制御部２１は、水平ライン単位でピーク輝度を制御する。なお、動画領域については、事前に設定されたピーク輝度を維持するようにピーク輝度制御信号が出力される。
【００２７】
ただし、静止画領域と判定された状態が複数フレームに亘って継続する場合、ピーク輝度制御部２１は、各水平ラインのピーク輝度レベルを静止画領域の継続時間長に応じて徐々に大きくなるように制御する。これは、リーク電流の影響による発光輝度の低下をピーク輝度の上昇により打ち消すためである。
【００２８】
この形態例の場合、ピーク輝度制御信号には、１フレーム期間内における点灯時間長を与えるデューティパルス信号を使用する。図３に、デューティパルス信号を示す。図３（Ａ）は最大点灯時間長の最大期間を与える垂直同期パルスである。図３（Ｂ）はデューティパルス信号例である。図３（Ｂ）の場合、Ｌレベルの期間が１フレーム期間内の点灯時間長になる。
【００２９】
ピーク輝度の制御は、デューティパルス信号のＬレベル長を可変することにより実現する。
図４に、判定結果に応じた水平ライン別のデューティパルス信号例を示す。図４（Ａ）は最大点灯時間長の最大期間を与える垂直同期パルスである。図４（Ｂ）は動画ライン用のデューティパルス信号例である。動画ライン用の場合、Ｌレベル長は固定となる。
【００３０】
図４（Ｃ）は静止画ライン用のデューティパルス信号例である。静止画ライン用の場合、静止画領域の継続フレーム数に応じてＬレベル長が可変する。図５に、ある水平ラインに対するデューティパルス信号のＬレベル長の変化を示す。図５に示すように、動画期間のデューティパルス信号はＬレベル長が一定である。
【００３１】
しかし、静止画期間では、その継続フレーム数に比例してＬレベル長が長くなる様子が分かる。もっとも、リーク電流による輝度低下特性とＬレベル長による輝度上昇特性との関係によっては、Ｌレベル長の増加は必ずしも線形にはならない。例えば非線形に与えられる。
【００３２】
また、Ｌレベル長がフレーム期間の１００％に達した場合やＬレベル長の増加だけでは輝度レベルの維持が困難になる場合には、静止画期間の途中でも画素データの再書き込みが実行されるものとする。これらの場合は、再度、Ｌレベル長が徐々に増加するようにパルス幅が制御される。
【００３３】
（Ａ−２）有機ＥＬパネルモジュールの機能構成
図６に、有機ＥＬパネルモジュール３１の機能構成例を示す。有機ＥＬパネルモジュール３１は、タイミング制御部３３、データ線ドライバ３５、ゲート線ドライバ３７、論理積回路３９、ゲート線ドライバ４１、電源電圧源４３及び有機ＥＬディスプレイパネル４５で構成される。
【００３４】
タイミング制御部３３は、入力映像信号に含まれるタイミング信号に基づいて画面表示に必要な各種のタイミング信号を発生する処理デバイスである。例えば書き込みパルス等を発生する。
【００３５】
データ線ドライバ３５は、有機ＥＬディスプレイパネル４３のデータ線を駆動する回路デバイスである。
データ線ドライバ３５は、各画素の発光輝度を指定する階調値をアナログ電圧値に変換し、データ線に供給する動作を実行する。
【００３６】
ゲート線ドライバ３７は、階調値を書き込む水平ラインの選択用に設けられたゲート線を線順次に選択する回路デバイスである。この選択信号が前述した書き込みパルスとして、有機ＥＬディスプレイパネル４５に出力される。この形態例におけるゲート線ドライバ３７は、水平ライン別に書き込みパルスを出力する。
【００３７】
論理積回路３９は、書き込みパルスと書き込み制御信号の論理積波形を書き込みパルスとして有機ＥＬディスプレイパネル４５に供給する回路である。論理積回路３９は、図７に示すように、１つの水平ラインに対して１つずつ配置される。
【００３８】
ゲート線ドライバ４１は、デューティパルス信号の供給用に設けられたゲート線を駆動する回路デバイスである。ゲート線ドライバ４１は、図８に示すように、水平ライン別に配置される。
電源電圧源４３は、有機ＥＬ素子に印加する陽極電圧（アナログ電圧）を供給する回路デバイスである。この形態例の場合、電源電圧源４３は一定電圧を発生する。
【００３９】
有機ＥＬディスプレイパネル４５は、有機ＥＬ素子がマトリクス状に配置された表示デバイスである。なお、有機ＥＬディスプレイパネル４５はカラー表示用である。従って、表示上の１画素（ピクセル）は、ＲＧＢの三色に対応する画素（サブピクセル）で構成される。
【００４０】
図９に、データ線とゲート線との交点位置に形成される画素回路５１と周辺回路との接続関係を示す。
画素回路５１は、データスイッチ素子Ｔ１、キャパシタＣ１、電流供給素子Ｔ２、点灯期間制御素子Ｔ３で構成される。
【００４１】
ここで、データスイッチ素子Ｔ１は、データ線を通じて与えられる電圧値の取り込み（書き込み）を制御するトランジスタである。電圧値の取り込みタイミングは、水平ライン単位で与えられる。具体的には、対応する論理積回路３９を通じて与えられる。
【００４２】
キャパシタＣ１は、取り込んだ電圧値を１フレームの間保持する記憶素子である。キャパシタＣ１を用いることで、データの書き込みが線順次走査の場合でも、面順次走査と同様の発光態様が実現される。
【００４３】
電流供給素子Ｔ２は、キャパシタＣ１の電圧値に応じた駆動電流を有機ＥＬ素子Ｄ１に供給するトランジスタである。
点灯期間制御素子Ｔ３は、有機ＥＬ素子Ｄ１の点灯時間を１フレーム内で制御するトランジスタである。
【００４４】
点灯期間制御素子Ｔ３は、駆動電流の供給経路に対して直列に配置される。点灯期間制御素子Ｔ３がオン動作している間、有機ＥＬ素子Ｄ１が点灯する。一方、点灯期間制御素子Ｔ３がオフ動作している間、有機ＥＬ素子Ｄ１が消灯する。
この点灯期間制御素子Ｔ３に印加される信号が、前述したデューティパルス信号（図４）である。
【００４５】
（Ａ−３）表示動作の制御及び効果
図１０に、この形態例で実行される有機ＥＬパネルモジュール３１の表示制御動作を示す。
表示動作制御装置１１は、常に前フレームの入力映像信号と現フレームの入力映像信号とを比較し、各水平ラインが静止画領域であるか否かを判定する（Ｓ１）。
【００４６】
静止画領域であると判定された場合（処理Ｓ１で肯定結果の場合）、表示動作制御装置１１は、以下の３つの制御を実行する（Ｓ２）。図１１に、静止画領域の判定結果例を示す。この処理Ｓ２は、図１１の静止画領域（ライン）について実行される。
【００４７】
まず、表示動作制御装置１１は、該当する水平ラインに対応する画素データの有機ＥＬパネルモジュール３１への出力を停止制御する。
この制御動作により、データ線に対する画素データ（アナログ値）の供給を選択的に停止できる。
【００４８】
画素データ（アナログ値）の供給を停止することで、データ線ドライバ３５を停止させることが可能になり、その分だけ消費電力を削減することが可能になる。なお、この制御動作中は、データ線ドライバ３５の駆動に必要な駆動タイミングパルス信号の供給も停止できる。
【００４９】
また、表示動作制御装置１１は、書き込み制御信号により該当する水平ラインの画素回路５１への書き込みを停止制御する。
この制御動作により、該当する水平ラインに対する画素データの画素回路５１への書き込みが停止される。
【００５０】
この際、該当する水平ライン上に位置するデータスイッチ素子Ｔ１は全てオフ制御される。従って、既にキャパシタＣ１に保持されている画素データ（アナログ値）の書き換えが禁止される。
【００５１】
また、表示動作制御部１１は、該当する水平ラインのピーク輝度レベルを書き込み停止時間に応じて増加するように制御する。
この制御動作により、有機ＥＬ素子Ｄ１の１フレーム内の発光輝度はリーク電流による輝度低下を補うことができる。結果的に、書き換え時点における画素データと同じ発光輝度を維持することができる。
【００５２】
このピーク輝度レベルの増加効果は、静止画領域と判定される状態が継続する時間が長いほど効果を発揮する。また、発光輝度が同じ状態を長く保持できるため、画素データ（アナログ値）の更新回数を減らす又は更新間隔を長くすることができる。
【００５３】
なお、動画領域であると判定された場合（処理Ｓ１で否定結果の場合）、表示動作制御装置１１は、一般的な処理動作を実行する（Ｓ３）。
すなわち、対応する水平ラインの入力映像信号を有機ＥＬパネルモジュール３１に出力すると共に、同じ水平ラインに位置する画素回路５１への書き込みを許可する。
【００５４】
かくして、各画素回路５１では、キャパシタＣ１に各画素に対応する画素データ（アナログ値）が記憶され、当該画素データに応じて有機ＥＬ素子Ｄ１が点灯制御される。
勿論、水平ラインのピーク輝度レベルは事前に規定された固定値として与えられる。
【００５５】
以上のように、この形態例で説明した制御技術を用いれば、従来技術以上に消費電力を低下させることができる。また同時に、画素データの書き換え停止中における発光輝度を書き換え停止前と同じ状態に保持することができ、画質の向上が期待できる。
【００５６】
また、前述した制御動作は、小規模回路で実現できる。このため、表示動作制御装置１１は、有機ＥＬパネルモジュール３１を構成するタイミング制御回路３３等に実装することができる。すなわち、表示動作制御装置１１の実装には、レイアウト変更や実装空間の変更を必要としない。
【００５７】
（Ｂ）形態例２
図１２に、有機ＥＬディスプレイ装置６１の機能構成例を示す。なお、図１２には図１との対応部分に同一符号を付して示す。
図１２に示すように、有機ＥＬディスプレイ装置６１は、表示動作制御装置７１と有機ＥＬパネルモジュール３１の２つの機能ブロックで構成される。
【００５８】
この形態例における表示動作制御装置７１は、映像信号供給制御部１７を搭載しない点で異なっている。従って、静止画判定部１５の判定結果も駆動タイミングパルス制御部１９とピーク輝度制御部２１にしか供給されない。
【００５９】
この形態例の場合、画素データの書き込みを停止する水平ラインに対応する入力映像信号も有機ＥＬパネルモジュール３１に供給される。従って、データ線ドライバ３５の動作は停止しない。このデータ線ドライバ３５における消費電力の分だけ形態例１よりも消費電力は大きくなる。
【００６０】
しかし、静止画領域の書き込み停止中も発光輝度を一定に保つことができるのに加え、静止画領域に対応する水平ラインの画素データの書き換え回数を削減できるので従来技術に比して良好な画質と消費電力の削減を実現できる。
【００６１】
（Ｃ）形態例３
ここでは、各制御をフレーム単位で実行する場合について説明する。
図１３に、この種の制御機能を搭載する有機ＥＬディスプレイ装置８１の機能構成例を示す。なお、図１３には図１との対応部分に同一符号を付して示す。
【００６２】
図１３に示すように、有機ＥＬディスプレイ装置８１は、表示動作制御装置９１と有機ＥＬパネルモジュール３１の２つの機能ブロックで構成される。
【００６３】
（Ｃ−１）表示動作制御装置の機能構成
表示動作制御装置９１は、有機ＥＬパネルモジュール３１の表示動作をフレーム単位で可変制御する処理デバイスである。
この機能の実現のため、表示動作制御装置９１は、フレーム画像記憶部１３、静止画判定部９３、映像信号供給制御部９５、駆動タイミングパルス制御部９７及びピーク輝度制御部９９の５つの機能ブロックで構成される。
【００６４】
フレーム画像記憶部１３は、入力映像信号を保存する２つのフレームメモリで構成される記憶デバイスである。２つのフレームメモリの一方は映像信号の書き込み用であり、他方は映像信号の読み出し用である。このフレーム画像記憶部１３は、形態例１と同じである。
【００６５】
静止画判定部９３は、現フレームの映像信号と前フレームの映像信号を比較し、現フレームが静止画領域か否かを判定する処理デバイスである。なお、前フレームの映像信号はフレーム画像記憶部１３から読み出される。ここでは、まず水平ライン単位で静止画領域か否かを判定し、全ての水平ラインが静止画領域の場合に現フレームが静止画領域と判定する手法を採用する。
【００６６】
従って、各水平ラインが静止画領域か否かの判定動作は、形態例１と同じ処理動作を実行する。すなわち、現フレームの映像信号と前フレームの映像信号を１画素づつ比較し、１ライン全ての画素について同じ映像信号が同じだった場合に当該水平ラインを静止画領域と判定する。
【００６７】
ただし、この形態例で使用する静止画判定部９３では、各水平ラインに対する判定結果を使用して当該フレームが静止画領域か否かを判定する。この形態例では、説明を簡単にするため、フレームを構成する全ての水平ラインが静止画領域と判定されること（図１４）を条件に現フレームが静止画領域か否かの判定を実行する。
判定結果は、映像信号供給制御部９５、駆動タイミングパルス制御部９７及びピーク輝度制御部９９に出力される。
【００６８】
映像信号供給制御部９５は、有機ＥＬパネルモジュール３１に対する映像信号の供給と停止をフレーム単位で制御する処理デバイスである。この形態例の場合、映像信号出力制御部９５は、静止画領域と判定されたフレームの映像信号が有機ＥＬパネルモジュール３１に供給されるタイミングで供給停止処理を実行する。
【００６９】
この制御により、書き換えの不要なフレームについては映像信号を供給せずに済む。この供給停止によりデータ線ドライバ３５の動作を１フレーム期間に亘って停止することが可能になり、その分、消費電力の低減効果が発揮される。
【００７０】
駆動タイミングパルス制御部９７は、有機ＥＬパネルモジュール３１に駆動タイミングパルス及び書き込み制御信号を供給する処理デバイスである。駆動タイミングパルスは、有機ＥＬパネルモジュール３１で採用する走査方式に応じた書き込みパルスの生成用である。この駆動タイミングパルスの生成には、入力映像信号の水平同期パルス及び垂直同期パルスが用いられる。
【００７１】
書き込み制御信号は、有機ＥＬパネルモジュール３１を構成する画素回路に対する書き込みパルスの供給と停止を制御する信号である。この形態例の場合、静止画領域と判定されたフレームの表示タイミングに同期して書き込みパルスの供給が停止される。この書き込み制御信号の供給に関連する部分が、特許請求の範囲における「書き込みパルス制御部」に対応する。
【００７２】
ピーク輝度制御部９９は、有機ＥＬパネルモジュール３１のピーク輝度を制御する処理デバイスである。この形態例の場合、ピーク輝度制御部９９は、フレーム単位でピーク輝度を制御する。なお、動画領域については、事前に設定されたピーク輝度を維持するようにピーク輝度制御信号が出力される。
【００７３】
ただし、静止画領域と判定された状態が複数フレームに亘って継続する場合、ピーク輝度制御部９９は、各フレームのピーク輝度レベルを静止状態の継続時間長に応じて徐々に大きくなるように制御する。これは、リーク電流の影響による発光輝度の低下をピーク輝度の上昇により打ち消すためである。
【００７４】
この形態例の場合も、ピーク輝度制御信号は、１フレーム期間内における点灯時間長を与えるデューティパルス信号（図１５）を使用する。図１５（Ａ）は最大点灯時間長の最大期間を与える垂直同期パルスである。図１５（Ｂ）及び（Ｃ）に示すように、具体的な制御は、ピーク輝度制御信号が全水平ラインに供給される点を除いて形態例１と全く同様である。
【００７５】
（Ｃ−２）有機ＥＬパネルモジュールの機能構成
有機ＥＬパネルモジュールの機能構成は、基本的に形態例１と同様である。すなわち、図６に示した機能構成となる。ただし、ピーク輝度制御信号の供給はフレーム単位で良いので、ゲート線ドライバ４１の個数や配線を形態例１よりも簡略化することができる。
【００７６】
図１６に、この形態例におけるピーク輝度制御信号の供給回路（ゲート線ドライバ４１）と配線の配置例を示す。図１６に示すように、ゲート線ドライバ４１は、全ての水平ラインに対して１つ用意すれば良く、ピーク輝度制御信号の供給も各水平ライン（ゲート線）に共通に与えることが可能となる。
【００７７】
（Ｃ−３）表示動作の制御及び効果
図１７に、この形態例で実行される有機ＥＬパネルモジュール３１の表示制御動作を示す。
表示動作制御装置９１は、常に前フレームの入力映像信号と現フレームの入力映像信号とを比較し、現フレームが静止画領域であるか否かを判定する（Ｓ１１）。
【００７８】
静止画領域であると判定された場合（処理Ｓ１１で肯定結果の場合）、表示動作制御装置９１は、以下の３つの制御を実行する（Ｓ１２）。図１８に、静止画領域の判定結果例を示す。この処理Ｓ１２は、図１８（Ａ）の静止画領域（フレーム）について実行される。
【００７９】
まず、表示動作制御装置９１は、現フレームに対応する画素データの有機ＥＬパネルモジュール３１への出力を停止制御する。
この制御動作により、データ線に対する現フレームの画素データ（アナログ値）の供給を全面的に停止できる。
【００８０】
画素データ（アナログ値）の供給を停止することで、データ線ドライバ３５を停止させることが可能になり、その分だけ消費電力を削減することが可能になる。なお、この制御動作中は、データ線ドライバ３５の駆動に必要な駆動タイミングパルス信号の供給も停止できる。
【００８１】
また、表示動作制御装置９１は、書き込み制御信号により現フレームの画素回路５１への書き込みを停止制御する。
この制御動作により、現フレームに対する画素データの画素回路５１への書き込みが停止される。
【００８２】
この際、有機ＥＬパネルモジュール３１を構成する全てのデータスイッチ素子Ｔ１が全てオフ制御される。従って、既にキャパシタＣ１に保持されている画素データ（アナログ値）の書き換えが画面全体として禁止される。
【００８３】
また、表示動作制御装置９１は、原フレームのピーク輝度レベルを書き込み停止時間に応じて増加するように制御する（図１８（Ｂ））。
この制御動作により、有機ＥＬ素子Ｄ１の１フレーム内の発光輝度はリーク電流による輝度低下を補うことができる。結果的に、書き換え時点における画素データと同じ発光輝度を維持することができる。
【００８４】
このピーク輝度レベルの増加効果は、静止画領域と判定される状態が継続する時間が長いほど効果を発揮する。また、発光輝度が同じ状態を長く保持できるため、画素データ（アナログ値）の更新回数を減らす又は更新間隔を長くすることができる。
【００８５】
なお、動画領域であると判定された場合（処理Ｓ１１で否定結果の場合）、表示動作制御装置９１は、一般的な処理動作を実行する（Ｓ１３）。
すなわち、現フレームの入力映像信号を有機ＥＬパネルモジュール３１に出力する。また、映像信号に対応する水平ラインの画素回路５１への書き込みを許可する。
【００８６】
かくして、各画素回路５１では、キャパシタＣ１に各画素に対応する画素データ（アナログ値）が記憶され、当該画素データに応じて有機ＥＬ素子Ｄ１が点灯制御される。
勿論、水平ラインのピーク輝度レベルは事前に規定された固定値として与えられる。
【００８７】
以上のように、この形態例で説明した制御技術を用いれば、フレーム単位で駆動タイミングパルスの出力や各種ドライバの動作を停止することができる。結果的に、画素データの書き換え停止中も駆動タイミングパルスの出力や各種ドライバの動作を停止できない従来技術以上に消費電力を低下させることができる。
【００８８】
また同時に、画素データの書き換え停止中における発光輝度を書き換え停止前と同じ状態に保持することができ、画質の向上が期待できる。
また、前述した制御動作は、小規模回路で実現できる。このため、表示動作制御装置９１は、有機ＥＬパネルモジュール３１を構成するタイミング制御回路３３等に実装することができる。すなわち、表示動作制御装置９１の実装には、レイアウト変更や実装空間の変更を必要としない。
【００８９】
（Ｄ）形態例４
図１９に、有機ＥＬディスプレイ装置１０１の機能構成例を示す。なお、図１９には図１３との対応部分に同一符号を付して示す。
図１９に示すように、有機ＥＬディスプレイ装置１０１は、表示動作制御装置１１１と有機ＥＬパネルモジュール３１の２つの機能ブロックで構成される。
【００９０】
この形態例における表示動作制御装置１０１は、映像信号供給制御部９５を搭載しない点で異なっている。従って、静止画判定部９３の判定結果も駆動タイミングパルス制御部９７とピーク輝度制御部９９にしか供給されない。
【００９１】
この形態例の場合、画素データの書き込みを停止するフレームに対応する入力映像信号も有機ＥＬパネルモジュール３１に供給される。従って、データ線ドライバ３５の動作は停止しない。このデータ線ドライバ３５における消費電力の分だけ形態例３よりも消費電力は大きくなる。
【００９２】
しかし、静止画領域の書き込み停止中も発光輝度を一定に保つことができるのに加え、静止画領域と判定されたフレームの画素データの書き換え回数を削減できるので従来技術に比して良好な画質と消費電力の削減を実現できる。
【００９３】
（Ｅ）他の形態例
（Ｅ−１）ピーク輝度の他の制御例
前述した形態例の場合、書き込み停止中における各画素のピーク輝度制御をデューティパルス信号を用いて実現した。
【００９４】
しかし、ピーク輝度制御には有機ＥＬ素子の陽極側に印加する陽極電圧値の大きさを制御することによっても実現できる。ここでの陽極電圧値は、図９との対応部分に同一符号を付して示す図２０に示すように、電源電圧源４３によって供給される。なお、陽極電圧値を可変制御する場合、デューティパルス長は固定で良い。
【００９５】
なお、陽極電圧値によるピーク輝度制御を採用する場合、ピーク輝度制御部は、判定結果に応じた電源電圧値を電源電圧源４３に供給する。図２１を用いて説明する。図２１（Ａ）は、１フレーム期間を与える垂直同期パルスである。図２１（Ｂ）は動画ライン又は動画フレーム用の電源電圧値を示す。
【００９６】
図２１（Ｃ）は静止画ライン又は静止画フレーム用の電源電圧値を示す。図２１（Ｃ）に示すように、静止画領域の継続フレーム数に応じて電源電圧値を可変する。図２２に、ある水平ライン又はあるフレームについて使用する電源電圧値の変化を示す。図２２に示すように、動画期間の電源電圧値は一定であるのに対し、静止画期間ではその継続期間に比例して電源電圧値が大きくなる様子が分かる。
【００９７】
勿論、リーク電流による輝度低下特性と電源電圧値による輝度上昇特性との関係によっては、電源電圧値の増加は必ずしも線形にはならない。例えば非線形に与えられる。
また、電源電圧値が可変範囲の上限値に達した場合や電源電圧値の増加だけでは輝度レベルの維持が困難になる場合には、静止画期間の途中でも画素データの書き込みが実行されるものとする。これらの場合は、再度、電源電圧値が徐々に増加するように制御される。
【００９８】
図２３に、水平ライン単位で電源電圧値を可変制御する場合に使用する配線例を示す。この場合、電源電圧源４３は、１つの水平ラインに対して１つずつ配置される。
また、図２４に、フレーム単位で電源電圧値を可変制御する場合に使用する配線例を示す。この場合、電源電圧源４３は、全ての水平ラインに対して１つ配置される。
【００９９】
（Ｅ−２）ピーク輝度の制御方向
前述の形態例の場合、リーク電流の影響による画素電圧情報の劣化が発光輝度の低下を伴う場合を前提とした。すなわち、静止画領域としての判定状態が継続するほどデューティパルス長を長くしたり、電源電圧値を高くする場合について説明した。
【０１００】
しかし、リーク電流の影響による画素電圧情報の劣化が発光輝度の上昇を伴う場合には、静止画領域としての判定状態が継続するほどデューティパルス長を短く制御したり、電源電圧値を小さく制御すれば良い。
【０１０１】
（Ｅ−３）フレーム単位における静止画領域の判定１
前述した形態例の場合、前フレームと現フレームの全画素について映像信号が同じ場合に現フレームを静止画フレーム（静止画領域）と判定する場合について説明した。
【０１０２】
しかし、図２５に示すように、１フレーム中で静止画領域と判定された水平ラインの割合が規定割合以上の場合に、現フレームを静止画フレームと判定しても良い。また、図２６に示すように、静止画領域を構成する水平ラインが１フレーム内に規定数以上連続して出現する場合に、現フレームを静止画フレームと判定しても良い。
【０１０３】
いずれの場合も、１フレーム中に動画領域が混在するが、全画素が前フレームと同じ場合と同様に、画面全体で画素データの書き換えが停止される。結果的に、形態例３及び４の説明と同様、書き換え停止時点の発光輝度を維持するように静止画フレームの継続時間だけピーク輝度が可変制御される。
【０１０４】
（Ｅ−４）フレーム単位における静止画領域の判定２
前述した形態例の場合、まず水平ライン単位で静止画領域か否かを判定し、全ての水平ラインが静止画領域と判定された場合に、対応フレームが静止画領域であると判定した。
しかし、前フレームと現フレームの各画素同士を比較し、全ての画素について両フレーム間の映像信号が同じ場合に現フレームを静止画フレーム（静止画領域）と判定しても良い。
【０１０５】
（Ｅ−５）ライン単位の静止画判定
前述の形態例においては、２つのフレームメモリを搭載するフレーム画像記憶部１３を表示動作制御装置に搭載する場合について説明した。
しかし、フレームメモリを用いなくても静止画領域の判定を実行できる。
【０１０６】
図２７に、判定動作の原理を示す。図２７（Ａ）に示すように、水平ライン単位で算出される映像信号（階調値）の合計値同士を比較することによっても、静止画領域か否かを判定することができる。図中、Σｂｉは、前フレームのｉライン目に位置する全画素の映像信号の合計値を意味する。また、Σｐｉは、現フレームのｉライン目に位置する全画素の映像信号の合計値を意味する。
【０１０７】
図２７（Ｂ）は、合計値同士の比較する場合の判定結果である。両者が同じ場合が「１」、両者が異なる場合が「０」である。
勿論、この判定手法は完全な意味での画素値の同一を保証することはできない。しかし、水平ラインを構成する全画素についての映像信号の合計値が同じであるということは、水平ライン単位で全画素が同じであることの蓋然性が高い。また、回路規模が小さく済むので有効な処理手法である。
【０１０８】
（Ｅ−６）実装例
ここでは、前述した表示動作制御装置の電子機器への実装例を説明する。
【０１０９】
（ａ）自発光表示装置
前述した表示動作制御装置は、図２８に示すように、画素回路内に記憶素子を有するアクティブマトリクス型の表示装置（パネルモジュールを含む。）１２１に実装することもできる。
図２８に示す表示装置１２１は、表示パネル１２３と表示動作制御装置１２５を搭載する。
【０１１０】
（ｂ）画像処理装置
前述した発光条件制御装置は、図２９に示すように、画素回路内に記憶素子を有するアクティブマトリクス型の表示装置１３１に映像信号を供給する外部装置としての画像処理装置１４１に実装することもできる。
図２９に示す画像処理装置１４１は、画像処理部１４３と表示動作制御装置１４５を搭載する。
【０１１１】
（ｃ）電子機器
これらの装置は、画素回路内に記憶素子を有するアクティブマトリクス型の表示装置を搭載する各種の電子機器に搭載することができる。なお、ここでの電子機器は、可搬型であるか据え置き型かを問わない。また、表示装置は必ずしも電子機器に搭載しなくても良い。
【０１１２】
（ｃ１）放送波受信装置
表示動作制御装置は、放送波受信装置に搭載することができる。
図３０に、放送波受信装置の機能構成例を示す。放送波受信装置１５１は、表示パネル１５３、システム制御部１５５、操作部１５７、記憶媒体１５９、電源１６１及びチューナー１６３を主要な構成デバイスとする。
【０１１３】
なお、システム制御部１５５は、例えばマイクロプロセッサで構成される。システム制御部１５５は、システム全体の動作を制御する。操作部１５７は、機械式の操作子の他、グラフィックユーザーインターフェースも含む。
【０１１４】
記憶媒体１５９は、表示パネル１５３に表示する画像や映像に対応するデータの他、ファームウェアやアプリケーションプログラムの格納領域として用いられる。電源１６１は、放送波受信装置１５１が可搬型の場合にはバッテリー電源を使用する。勿論、放送波受信装置１５１が据え置き型の場合には商用電源を使用する。
【０１１５】
チューナー１６３は、到来する放送波の中からユーザーの選局した特定チャネルの放送波を選択的に受信する無線装置である。
この放送波受信装置の構成は、例えばテレビジョン番組受信機、ラジオ番組受信機に適用する場合に用いることができる。
【０１１６】
（ｃ２）オーディオ装置
図３１は、再生機としてのオーディオ装置に適用する場合の機能構成例である。
再生機としてのオーディオ装置１７１は、表示パネル１７３、システム制御部１７５、操作部１７７、記憶媒体１７９、電源１８１、オーディオ処理部１８３及びスピーカー１８５を主要な構成デバイスとする。
【０１１７】
この場合も、システム制御部１７５は、例えばマイクロプロセッサで構成される。システム制御部１７５は、システム全体の動作を制御する。操作部１７７は、機械式の操作子の他、グラフィックユーザーインターフェースも含む。
【０１１８】
記憶媒体１７９は、オーディオデータの他、ファームウェアやアプリケーションプログラムの格納領域である。電源１８１は、オーディオ装置１７１が可搬型の場合にはバッテリー電源を使用する。勿論、オーディオ装置１７１が据え置き型の場合には商用電源を使用する。
【０１１９】
オーディオ処理部１８３は、オーディオデータを信号処理する処理デバイスである。圧縮符号化されたオーディオデータの解凍処理も実行される。スピーカー１８５は、再生された音を出力するデバイスである。
【０１２０】
なお、オーディオ装置１７１を記録機として用いる場合、スピーカー１８５に替えてマイクロフォンを接続する。この場合、オーディオ処理部１７１は、オーディオデータを圧縮符号化する機能を実現する。
【０１２１】
（ｃ３）通信装置
図３２は、通信装置に適用する場合の機能構成例である。通信装置１９１は、表示パネル１９３、システム制御部１９５、操作部１９７、記憶媒体１９９、電源２０１及び無線通信部２０３を主要な構成デバイスとする。
【０１２２】
なお、システム制御部１９５は、例えばマイクロプロセッサで構成される。システム制御部１９５は、システム全体の動作を制御する。操作部１９７は、機械式の操作子の他、グラフィックユーザーインターフェースも含む。
【０１２３】
記憶媒体１９９は、表示パネル１９３に表示する画像や映像に対応するデータファイルの他、ファームウェアやアプリケーションプログラムの格納領域として用いられる。電源２０１は、通信装置１９１が可搬型の場合にはバッテリー電源を使用する。勿論、通信装置１９１が据え置き型の場合には商用電源を使用する。
【０１２４】
無線通信部２０３は、他機との間でデータを送受信する無線装置である。この通信装置の構成は、例えば据え置き型の電話機や携帯電話機に適用する場合に用いることができる。
【０１２５】
（ｃ４）撮像装置
図３３は、撮像装置に適用する場合の機能構成例である。撮像装置２１１は、表示パネル２１３、システム制御部２１５、操作部２１７、記憶媒体２１９、電源２２１及び撮像部２２３を主要な構成デバイスとする。
【０１２６】
なお、システム制御部２１５は、例えばマイクロプロセッサで構成される。システム制御部２１５は、システム全体の動作を制御する。操作部２１７は、機械式の操作子の他、グラフィックユーザーインターフェースも含む。
【０１２７】
記憶媒体２１９は、表示パネル２１３に表示する画像や映像に対応するデータファイルの他、ファームウェアやアプリケーションプログラムの格納領域として用いられる。電源２２１は、撮像装置２１１が可搬型の場合にはバッテリー電源を使用する。勿論、撮像装置２１１が据え置き型の場合には商用電源を使用する。
【０１２８】
撮像部２２３は、例えばＣＭＯＳセンサーとその出力信号を処理する信号処理部で構成する。この撮像装置の構成は、例えばデジタルカメラ、ビデオカメラ等に適用する場合に用いることができる。
【０１２９】
（ｃ５）情報処理装置
図３４は、携帯型の情報処理装置に適用する場合の機能構成例である。情報処理装置２３１は、表示パネル２３３、システム制御部２３５、操作部２３７、記憶媒体２３９及び電源２４１を主要な構成デバイスとする。
【０１３０】
なお、システム制御部２３５は、例えばマイクロプロセッサで構成される。システム制御部２３５は、システム全体の動作を制御する。操作部２３７は、機械式の操作子の他、グラフィックユーザーインターフェースも含む。
【０１３１】
記憶媒体２３９は、表示パネル２３３に表示する画像や映像に対応するデータファイルの他、ファームウェアやアプリケーションプログラムの格納領域として用いられる。電源２４１は、情報処理装置２３１が可搬型の場合にはバッテリー電源を使用する。勿論、情報処理装置２３１が据え置き型の場合には商用電源を使用する。
【０１３２】
この情報処理装置の構成は、例えばゲーム機、電子ブック、電子辞書、コンピュータ等に適用する場合に用いることができる。
【０１３３】
（Ｅ−７）表示装置
前述の形態例の場合、有機ＥＬディスプレイパネルを例に説明した。しかし、この表示制御技術は、画素回路内に記憶素子を有するアクティブマトリクス型の表示装置であれば、自発光表示装置であるか非自発光表示装置であるかを問わず適用できる。例えば液晶ディスプレイ装置、無機ＥＬディスプレイパネル、ＦＥＤディスプレイパネル、ＰＤＰディスプレイパネルその他にも適用できる。
【０１３４】
（Ｅ−８）コンピュータプログラム
前述の形態例で説明した表示動作制御装置は、処理機能の全てをハードウェア又はソフトウェアで実現するだけでなく、ハードウェアとソフトウェアの機能分担により実現することもできる。
【０１３５】
（Ｅ−９）デューティパルスの出力タイミング
前述の形態例では、デューティパルス信号を１フレーム期間内の点灯期間と消灯期間を制御する信号として説明した。
【０１３６】
しかし、図３５に示すように、デューティパルス信号（図３５（Ｂ））を水平ライン期間（図３５（Ａ））内の点灯期間と消灯期間を制御する信号として定義しても良い。このようなタイミングでデューティパルスを出力する場合にも、１フレーム期間内の点灯時間長は前述した形態例と同じ関係になる。
【０１３７】
（Ｅ−１０）デューティパルス信号の波形例
前述の形態例の場合、デューティパルス信号は１フレーム期間内にＨレベルの期間とＬレベルの期間がそれぞれ１回ずつ現れる場合について説明した。
しかし、図３６（Ｂ）に示すように、１フレーム期間（図３６（Ａ））内にデューティパルスのＨレベルとＬレベルがそれぞれ複数回現れるように制御する場合にも前述した制御手法を適用できる。
【０１３８】
（Ｅ−１１）その他
前述した形態例には、発明の趣旨の範囲内で様々な変形例が考えられる。また、本明細書の記載に基づいて創作される又は組み合わせられる各種の変形例及び応用例も考えられる。
【図面の簡単な説明】
【０１３９】
【図１】形態例１に係る表示装置の機能構成例を示す図である。
【図２】静止画領域の判定原理を説明する図である。
【図３】デューティパルス信号を説明する図である。
【図４】動画フレーム用のデューティパルス長と静止画フレーム用のデューティパルス長の関係を説明する図である。
【図５】水平ライン単位でピーク輝度を可変制御する場合におけるデューティパルス長の可変制御例を説明する図である。
【図６】パネルモジュールの機能構成例を示す図である。
【図７】水平ライン単位で書き込みパルスの供給を制御する場合の配線例を示す図である。
【図８】水平ライン単位でデューティパルス長を可変制御する場合の配線例を示す図である。
【図９】画素回路と周辺回路の接続関係を説明する図である。
【図１０】形態例１に係る制御手順例を示す図である。
【図１１】静止画流域の判定単位を説明する図である。
【図１２】形態例２に係る表示装置の機能構成例を示す図である。
【図１３】形態例３に係る表示装置の機能構成例を示す図である。
【図１４】静止画流域の判定単位を説明する図である。
【図１５】動画フレーム用のデューティパルス長と静止画フレーム用のデューティパルス長の関係を説明する図である。
【図１６】フレーム単位でデューティパルス長を可変制御する場合の配線例を示す図である。
【図１７】形態例３に係る制御手順例を示す図である。
【図１８】フレーム単位でピーク輝度を可変制御する場合におけるデューティパルス長の可変制御例を説明する図である。
【図１９】形態例４に係る表示装置の機能構成例を示す図である。
【図２０】ピーク輝度を電源電圧値で可変制御する場合における画素回路と周辺回路の接続関係を示す図である。
【図２１】動画フレーム用の電源電圧値と静止画フレーム用の電源電圧値の関係を説明する図である。
【図２２】ピーク輝度レベルを電源電圧値で可変制御する場合の可変制御例を示す図である。
【図２３】水平ライン単位で電源電圧値を可変制御する場合の配線例を示す図である。
【図２４】フレーム単位で電源電圧値を可変制御する場合の配線例を示す図である。
【図２５】静止画領域の他の判定動作例を示す図である。
【図２６】静止画領域の他の判定動作例を示す図である。
【図２７】静止画領域の他の判定動作例を示す図である。
【図２８】表示装置への実装例を示す図である。
【図２９】画像処理装置への実装例を示す図である。
【図３０】電子機器への実装例を示す図である。
【図３１】電子機器への実装例を示す図である。
【図３２】電子機器への実装例を示す図である。
【図３３】電子機器への実装例を示す図である。
【図３４】電子機器への実装例を示す図である。
【図３５】デューティパルス信号の他の出力例を説明する図である。
【図３６】デューティパルス信号の他の出力例を説明する図である。
【符号の説明】
【０１４０】
１１      表示動作制御装置
１３      フレーム画像記憶部
１５      静止画判定部
１７      映像信号供給制御部
１９      駆動タイミングパルス制御部
２１      ピーク輝度制御部
３１      有機ＥＬパネルモジュール
７１      表示動作制御装置
９１      表示動作制御装置
９３      静止画判定部
９５      映像信号供給制御部
９７      駆動タイミングパルス制御部
９９      ピーク輝度制御部
１１１    表示動作制御装置
【図１】
2008033066.tif 000003
【図２】
2008033066.tif 000004
【図３】
2008033066.tif 000005
【図４】
2008033066.tif 000006
【図５】
2008033066.tif 000007
【図６】
2008033066.tif 000008
【図７】
2008033066.tif 000009
【図８】
2008033066.tif 000010
【図９】
2008033066.tif 000011
【図１０】
2008033066.tif 000012
【図１１】
2008033066.tif 000013
【図１２】
2008033066.tif 000014
【図１３】
2008033066.tif 000015
【図１４】
2008033066.tif 000016
【図１５】
2008033066.tif 000017
【図１６】
2008033066.tif 000018
【図１７】
2008033066.tif 000019
【図１８】
2008033066.tif 000020
【図１９】
2008033066.tif 000021
【図２０】
2008033066.tif 000022
【図２１】
2008033066.tif 000023
【図２２】
2008033066.tif 000024
【図２３】
2008033066.tif 000025
【図２４】
2008033066.tif 000026
【図２５】
2008033066.tif 000027
【図２６】
2008033066.tif 000028
【図２７】
2008033066.tif 000029
【図２８】
2008033066.tif 000030
【図２９】
2008033066.tif 000031
【図３０】
2008033066.tif 000032
【図３１】
2008033066.tif 000033
【図３２】
2008033066.tif 000034
【図３３】
2008033066.tif 000035
【図３４】
2008033066.tif 000036
【図３５】
2008033066.tif 000037
【図３６】
2008033066.tif 000038